(57)【要約】【課題】組み立てを正確かつ短時間で行うことができ、個体毎にばらつくことなく安定した動作性能を有する電磁変換器を得る。【解決手段】複数の帯状の着磁部位を設けた永久磁石板１１，１４、導体コイルパターン１３ｂを設けた振動膜１３、永久磁石板１１，１４と振動膜１３との間に積層させる緩衝部材１２ａ，１２ｂ、及び永久磁石板１１，１４と振動膜１３と緩衝部材１２ａ，１２１ｂとを積層させて周りを覆うフレーム３に、当該永久磁石板１１，１４、振動膜１３、及び緩衝部材１２ａ，１２ｂを積層させてフレーム３へ組み込むときに使用する組み立て治具４に設けられている複数のピン４ａを各々挿通させる位置決め用穴３１ｃ，１１ｃ，１２ｃ，１３ｃ，１４ｃ，３２ｃを設けた。【選択図】図１
2007288601.tif 000002
【特許請求の範囲】
【請求項１】
複数の帯状の着磁部位を設けた永久磁石板、前記永久磁石板の着磁部位と対向させる導体コイルパターンを設けた振動膜、前記永久磁石板と振動膜との間に積層させる緩衝部材、及び前記永久磁石板と振動膜と緩衝部材とを積層させて周りを覆うフレームを備えた電磁変換器において、
前記永久磁石板、振動膜、緩衝部材、及びフレームに、当該永久磁石板、振動膜、及び緩衝部材を積層させてフレームへ組み込むときに使用する組み立て治具に設けられている複数のピンを各々挿通させる位置決め用穴を設けたことを特徴とする電磁変換器。
【請求項２】
複数の帯状の着磁部位を設けた永久磁石板、前記永久磁石板の着磁部位と対向させる導体コイルパターンを設けた振動膜、前記永久磁石板と振動膜との間に積層させる緩衝部材、及び前記永久磁石板と振動膜と緩衝部材とを積層させて周りを覆うフレームを備えた電磁変換器において、
前記永久磁石板、振動膜、緩衝部材、及びフレームの端部に、当該永久磁石板、振動膜、及び緩衝部材を積層させてフレームへ組み込むときに使用する組み立て治具に設けられている複数の支柱に各々接触させる位置決め用切欠きを設けたことを特徴とする電磁変換器。
【請求項３】
複数の帯状の着磁部位を設けた永久磁石板、前記永久磁石板の着磁部位と対向させる導体コイルパターンを設けた振動膜、前記永久磁石板と振動膜との間に積層させる緩衝部材、及び前記永久磁石板と振動膜と緩衝部材とを積層させて周りを覆うフレームを備えた電磁変換器において、
前記フレーム内部に複数のピンを立設し、
前記永久磁石板、振動膜、及び緩衝部材に、前記フレームに設けられている複数のピンを各々挿通させる位置決め用穴を設けたことを特徴とする電磁変換器。
【請求項４】
複数の帯状の着磁部位を設けた永久磁石板、前記永久磁石板の着磁部位と対向させる導体コイルパターンを設けた振動膜、前記永久磁石板と振動膜との間に積層させる緩衝部材、及び前記永久磁石板と振動膜と緩衝部材とを積層させて周りを覆うフレームを備えた電磁変換器において、
前記永久磁石板、振動膜、緩衝部材、及びフレームに、当該電磁変換器を取り付ける筐体に設けられている複数のピンを各々挿通させて当該ピンと密着する位置決め用穴を設けたことを特徴とする電磁変換器。
【請求項５】
複数の帯状の着磁部位を設けた永久磁石板、前記永久磁石板の着磁部位と対向するように導体コイルパターンを設けた振動膜、前記永久磁石板と振動膜との間に積層させる緩衝部材、及び前記永久磁石板と振動膜と緩衝部材とを積層させて周りを覆うフレームを備えた電磁変換器において、
前記永久磁石板、振動膜、緩衝部材、及びフレームの端部に、当該電磁変換器を取り付ける筐体に設けられている複数の支柱と各々密着する位置決め用切欠きを設けたことを特徴とする電磁変換器。
【発明の詳細な説明】
【技術分野】
【０００１】
この発明は、振動膜の表面にコイルパターンを備えてオーディオ信号から音声再生を行う電磁変換器に関するものである。
【背景技術】
【０００２】
永久磁石板と振動膜とを用いた電磁変換器には、永久磁石板と振動膜を対向配置し、また永久磁石板と振動膜との間に緩衝部材を配置したものがある。これらの永久磁石板、振動膜、及び緩衝部材はフレーム等の部材に覆われて例えばスピーカ筐体に取付けられている。
上記の永久磁石板は、一定の間隔を置いて極性を交互に替えた帯状の着磁部位を有している。また、振動膜は、永久磁石板の交互に極性を替えて着磁されている部位の間隙に、いわゆる着磁ニュートラルゾーンと称される部分に対向させて、電磁コイルとして作用する蛇行形状の導体パターンを当該振動膜の膜面に設けたものである。
振動膜に形成されているコイルパターンにオーディオ信号の電流が流れると、電磁コイルとして作用する導体パターンと永久磁石板の着磁パターンが電磁的に結合し、フレミングの法則によって上記の導体パターンを有する振動膜が振動してオーディオ再生が行われる（例えば、特許文献１参照）。
【０００３】
【特許文献１】特開平９−３３１５９６号公報（第３〜５頁、図１,図２）
【発明の開示】
【発明が解決しようとする課題】
【０００４】
従来の電磁変換器は以上のように構成されているので、電磁変換器を組み立てる際には、振動膜の表面に形成されているコイルパターンが永久磁石板のＳ極の着磁部位とＮ極の着磁部位の中間に配置されるように、マグネットビューア等で永久磁石板の着磁パターンを目視しながら振動膜を最適な位置に合わせて組み立てる必要がある。そのため、特に支持棒やナットなどの固定手段を用いることなく振動膜や永久磁石板などをフレーム等で覆う構成では永久磁石板に対する振動膜の位置合わせに時間を要し、また作業者の技量によっては振動膜を最適な位置に配置することができず、オーディオ再生に関する動作性能に固体差が生じるという課題があった。
【０００５】
この発明は上記のような課題を解決するためになされたもので、組み立てを正確かつ短時間で行うことができ、個体毎にばらつくことなく安定した動作性能を有する電磁変換器を得ることを目的とする。
【課題を解決するための手段】
【０００６】
この発明に係る電磁変換器は、永久磁石板、振動膜、緩衝部材、及びフレームに、当該永久磁石板、振動膜、及び緩衝部材を積層させてフレームへ組み込むときに使用する組み立て治具に設けられている複数のピンを各々挿通させる位置決め用穴を設けたものである。
【発明の効果】
【０００７】
この発明によれば、永久磁石板、振動膜、緩衝部材、及びフレームに、永久磁石板、振動膜、及び緩衝部材を積層させてフレームへ組み込むときに使用する組み立て治具に設けられている複数のピンを各々挿通させる位置決め用穴を設けたので、電磁変換器を正確かつ短時間で組み立てることができ、電磁変換器の性能を安定させることができるという効果がある。
【発明を実施するための最良の形態】
【０００８】
以下、この発明の実施の一形態を説明する。
実施の形態１．
図１は、この発明の実施の形態１による電磁変換器と組み立て治具とを示す説明図である。この図は、実施の形態１による電磁変換器１の構成を示す分解斜視図に、電磁変換器１を組み立てる際に各構成部品を固定する組み立て治具４を共に示したものである。図１に示した電磁変換器１は、外部から入力されたオーディオ信号に応じて可聴音声帯域のオーディオ音声を再生する構造体２と、構造体２の全体を覆う例えば磁石が吸着する金属から成るフレーム３によって構成されている。
構造体２は、図中下方から下側永久磁石板１１、緩衝部材１２ａ、振動膜１３、緩衝部材１２ｂ、及び、上側永久磁石板１４を重ね合わせて構成されている。このように構造体２は、一枚の振動膜１３を上下両方向から緩衝部材１２ａ，１２ｂを介して上側永久磁石板１４と下側永久磁石板１１によって挟むように構成されている。緩衝部材１２ａ，１２ｂは、例えば薄い不織布から成る。
【０００９】
フレーム３は、平板状の支持部材３１と、当該支持部材３１が蓋となるように図中下方に開口部位を有する箱状の支持部材３２によって構成されている。支持部材３１を下側永久磁石板１１の下方に配置し、支持部材３２を上側永久磁石板１４の上方から覆い被せることにより、支持部材３１と支持部材３２によって構造体２の全体が包囲／格納され、各板面や膜面等が図中水平方向に移動しないように、重ねられた各永久磁石板ならびに振動膜１３などを固定している。なお、振動膜１３は、緩衝部材１２ａ，１２ｂで両膜面を挟み込むようにして、膜面の振動を妨げないように積層している。このように構造体２の全体を支持部材３１と支持部材３２が覆うことによって、当該構造体２の各構成部品を配置／固定し、電磁変換器１を構成している。
【００１０】
上側永久磁石板１４は、板面を貫通する音放射穴１４ａが一定のピッチで、後述するように着磁パターンに生じるニュートラルゾーンｎｚに対応させて複数箇所に設けられている。支持部材３２の上面にも上記の音放射穴１４ａと同様に音放射穴３２ａが設けられている。これらの音放射穴１４ａと音放射穴３２ａは、支持部材３２と上側永久磁石板１４が重ね合わせられたとき、各々の箇所で連通するように設けられている。
組み立て治具４は、台板の上面に複数のピン７ａを立設させており、例えば図示したように所定の間隔を空けて四箇所に設けられている。なお、ピン４ａの形状は、図示した円柱状に限定されない。
【００１１】
下側永久磁石板１１は、厚み方向に貫通している位置決め用穴１１ｃが例えば板面の四隅に各々設けられている。同様に緩衝部材１２ａ及び緩衝部材１２ｂの各四隅に位置決め用穴１２ｃが設けられ、振動膜１３の膜面の四隅に位置決め用穴１３ｃが設けられ、上側永久磁石板１４の板面の四隅に位置決め用穴１４ｃが設けられている。
また、支持部材３１の板の四隅にはそれぞれ位置決め用穴３１ｃが設けられ、支持部材３２の上面の四隅に位置決め用穴３２ｃが設けられている。
上記の各部材等を重ね合わせたとき、位置決め用穴１１ｃ，１２ｃ，１３ｃ，１４ｃ，３１ｃ，３２ｃは連通する位置に設けられている。また、組み立て治具４の四つのピン４ａは、連通している各位置決め用穴にそれぞれ挿通するように配置されている。
【００１２】
図２は、実施の形態１による電磁変換器の断面と組み立て治具とを示す説明図である。この図は、フレーム３で構造体２を覆った電磁変換器１の内部構成を表す断面形状と当該電磁変換器１とピン４ａとの配置関係を示したものである。なお、図示した断面形状は、図１において電磁変換器１の長手方向に直行する縦断面の概略を表したものである。図１に示したものと同一部分に同じ符号を使用し、その説明を省略する。
下側永久磁石板１１及び上側永久磁石板１４は、振動膜１３に対向する板面の概ね全体に、焼結フェライト磁石から成る帯状の着磁部位を有する。この着磁部位は、Ｓ極とＮ極が互い違いに配列されているもので、一定の間隔をおいて平行縞状に着磁されている。ここでは、このような着磁パターンを多極着磁パターンと記載する。この多極着磁パターンでは、図２において一点破線で示したように、隣り合うＳ極とＮ極の着磁部位の間隙に着磁のニュートラルゾーンｎｚが存在する。
【００１３】
振動膜１３は、薄膜の柔軟な素材を用いたもので、例えばポリイミドフィルム等から成る樹脂フィルム１３ａに導体パターンを形成させたものである。樹脂フィルム１３ａに形成されている導体パターンは、電流が流れることにより磁力が発生する電磁コイルとして作用するもので、樹脂フィルム１３ａの概ねフィルム面全体に蛇行形状のパターンを成している。ここでは、この電磁コイルとして作用する蛇行形状のパターンを蛇行コイルパターン１３ｂと記載する。蛇行コイルパターン１３ｂは、図２に示したようにニュートラルゾーンｎｚに配置されるもので、図１において蛇行コイルパターン１３ｂの長手方向にニュートラルゾーンｎｚが生じ、当該蛇行コイルパターン１３ｂの長手方向のパターンと図１に示されないニュートラルゾーンｎｚは重なって存在している。また、図２においてニュートラルゾーンｎｚの位置に音放射穴１４ａ及び音放射穴３２ａが設けられており、図１において音放射穴１４ａ及び音放射穴３２ａは、前述のように蛇行コイルパターン１３ｂの長手方向に沿っているニュートラルゾーンｎｚ上に等間隔をおいて設けられている。
【００１４】
図２に示したように支持部材３１、下側永久磁石板１１、緩衝部材１２ａ、振動膜１３、緩衝部材１２ｂ、上側永久磁石板１４、及び、支持部材３２を積層させたとき、位置決め用穴３１ｃ、１１ｃ，１２ｃ，１３ｃ，１２ｃ，１４ｃ，３２ｃが連通して位置決め用穴ｃが構成される。この位置決め用穴ｃには組み立て治具４の各ピン４ａが各々挿入される。
図３は、実施の形態１による電磁変換器の構成を示す説明図である。図１及び図２に示したものと同一部分に同じ符号を使用し、その説明を省略する。この図は、電磁変換器１に組み立て治具４が装着されている、即ち電磁変換器１の位置決め用穴ｃにピン４ａが挿入されている状態を簡略化して表したものである
【００１５】
電磁変換器１に設けられている位置決め用穴ｃ、詳しくは支持部材３１に設けられている位置決め用穴３１ｃ、下側永久磁石板１１ｃに設けられている位置決め用穴１２ｃ、緩衝部材１２ａに設けられている位置決め用穴１２ｃ、振動膜１３に設けられている位置決め用穴１３ｃ、緩衝部材１２ｂに設けられている位置決め用穴１２ｃ、上側永久磁石板１４に設けられている位置決め用穴１４ｃ、及び、支持部材３２に設けられている位置決め用穴３２ｃの穴径は、好ましくは隙間無くピン４ａが挿入されるように構成することが良いが、製造に関する穴径誤差を考慮して図３に示したようにピン４ａの外径よりも大きく、位置決め用穴ｃに対してピン４ａの抜き差しが容易に行えるように構成している。
なお、組み立て治具４に設けられているピン４ａの数ならびに各構成部品に設けられている位置決め用穴の数は、ここで説明した四箇所に限定されるものではなく、また穴形状やピン４ａの横断面形状は円形に限定されるものではない。
【００１６】
また、上記のように位置決め用穴ｃの穴径を大きくしたとき、ピン４ａは図３に示したように位置決め用穴ｃの側壁の一部分に接するように、位置決め用穴ｃの径の中心と円柱状のピン４ａの径の中心がずれるように、当該ピン４ａが組み立て治具４の台板上に配置されている。このピン４ａの配置は、図３に示したように各々のピン４ａが位置決め用穴ｃの側壁部分に接することにより電磁変換器１を構成している支持部材３１、下側永久磁石板１１、緩衝部材１２ａ、振動膜１３、緩衝部材１２ｂ、上側永久磁石板１４、及び支持部材３２の位置決めが確固なものとなるように、各々の接触部分に作用する応力の方向が相反するように各位置決め用穴ｃの配置の中心位置からずらして設けられている。なお、ピン４ａは、支持部材３１、下側永久磁石板１１、緩衝部材１２ａ、振動膜１３、緩衝部材１２ｂ、上側永久磁石板１４、及び支持部材３２を重ね合わせたときに形成される位置決め用穴ｃの一端から他端まで貫くことが可能な高さを有するように設けられている。
【００１７】
次に電磁変換器１の組み立てについて説明する。
ここまで説明したように構成されている組み立て治具４に、支持部材３１、下側永久磁石板１１、緩衝部材１２ａ、振動膜１３、緩衝部材１２ｂ、上側永久磁石板１４、支持部材３２の順に装着し、詳しくは各々の位置決め用穴に各ピン４ａを挿入していく。このとき上記の各構成部品は、ピン４ａの立設方向には固定されておらず、各構成部品の積層方向に対して鉛直な方向、例えば図２において水平方向に当該各構成部品が仮止めされている。
上記のように組み立て治具４へ各構成部品を装着していくとき、前述のように磁石と吸着する材質から成る支持部材３１には、下側永久磁石板１１が自らの磁力によって固定される。下側永久磁石板１１に積層される緩衝部材１２ａは、接着剤などを用いて当該下側永久磁石板１１に固定する。緩衝部材１２ａと緩衝部材１２ｂの間に挟まれる振動膜１３は、例えばテープなどを用いて縁端部を固定する。緩衝部材１２ｂは、接着剤などを用いて上側永久磁石板１４に固定する。上側永久磁石板１４は、自らの磁力によって支持部材３２に固定される。支持部材３１と支持部材３２には、例えば互いに嵌合する部位を形成させておき、上記のように各構成部品を固定してからフレーム３を成すように支持部材３１と支持部材３２とを嵌合させる。このようにして完成させた電磁変換器１から組み立て治具４を取り外す。このようにして組み立てた電磁変換器１は、前述のように下側永久磁石板１１、振動膜１３、及び上側永久磁石板１４が配置されたものとなる。
【００１８】
これまで説明したピン４ａをフレーム３に、詳しくは例えば位置決め用穴３１ｃに替えてピン４ａを支持部材３１に設け、上記の説明と同様に下側永久磁石板１１、緩衝部材１２ａ、振動膜１３、緩衝部材１２ｂ、上側永久磁石板１４、支持部材３２の各位置決め用穴へ挿入するようにして組み立てるようにしてもよい。なお、このとき支持部材３２の位置決め用穴３２ｃは設けなくてもよい。
【００１９】
以上のように実施の形態１によれば、支持部材３１、下側永久磁石板１１、緩衝部材１２ａ、振動膜１３、緩衝部材１２ｂ、上側永久磁石板１４、支持部材３２にそれぞれ位置決め用穴を設けておき、組み立て治具４に設けられているピン４ａに各位置決め用穴を挿通させて電磁変換器１を組み立てるようにしたので、上側永久磁石板１１及び下側永久磁石板１４と振動膜１３とを容易に精度良く位置決めして組み立てることができ、動作性能の個体差を抑えた電磁変換器１を得ることができるという効果がある。
【００２０】
実施の形態２．
図４は、この発明の実施の形態２による電磁変換器と組み立て治具とを示す説明図である。この図は、実施の形態２による電磁変換器４１の構成を示す分解斜視図に、電磁変換器４１を組み立てる際に各構成部品を固定する組み立て治具４４を共に示したものである。図４に示した電磁変換器４１は、前述の実施の形態１による電磁変換器１と同様に外部から入力されたオーディオ信号に応じて可聴音声帯域のオーディオ音声を再生する構造体４２と、構造体４２を覆う例えば磁石が吸着する金属から成るフレーム４３によって構成されている。
【００２１】
構造体４２は、実施の形態１による電磁変換器１の構造体２に相当するもので、基本的な構成は同様である。図中下方から下側永久磁石板５１、緩衝部材５２ａ、振動膜５３、緩衝部材５２ｂ、及び、上側永久磁石板５４を重ね合わせて構成されている。なお、緩衝部材５２ａ，５２ｂは、例えば薄い不織布から成る。
フレーム４３は、平板状の支持部材６１と、当該支持部材６１が蓋となるように図中下方に開口部位を有する箱状の支持部材６２によって構成されている。支持部材６１を下側永久磁石板５１の下方に配置し、支持部材６２を上側永久磁石板５４の上方から覆い被せることにより、支持部材６１と支持部材６２によって構造体４２の全体が包囲／格納され、各板面や膜面等が図中水平方向に移動しないように、重ねられた下側永久磁石板５１、上側永久磁石板５４、及び振動膜５３などを固定している。なお、振動膜５３は、緩衝部材５２ａ，５２ｂで両膜面を挟み込むようにして、膜面の振動を妨げないように積層させているもので、実施の形態１で説明した振動膜１３と同様に例えばポリイミドフィルム等の樹脂フィルム５３ａに蛇行コイルパターン５３ｂを形成させたものである。
【００２２】
上側永久磁石板５４は、実施の形態１による電磁変換器１の上側永久磁石板１４と同様に、板面を貫通する音放射穴５４ａが一定のピッチで複数箇所に設けられている。支持部材６２の上面にも上記の音放射穴５４ａと同様に音放射穴６２ａが設けられている。これらの音放射穴５４ａと音放射穴６２ａは、支持部材６２と上側永久磁石板５４が重ね合わせられたとき、各々の箇所で連通するように設けられている。また、上側永久磁石板５４は、実施の形態１で説明した上側永久磁石板１４と同様に帯状の着磁部位を有する。
組み立て治具４４は、台板の上面に例えば横断面が四辺形の支柱４４ａを複数立設させており、例えば図示したように所定の間隔を空けて四箇所に設けている。
【００２３】
下側永久磁石板５１は、位置決め用切欠き５１ｃが例えば板面の四隅に各々設けられている。同様に緩衝部材５２ａ及び緩衝部材５２ｂの各四隅に位置決め用切欠き５２ｃが設けられ、振動膜５３の膜面の四隅に位置決め用切欠き５３ｃが設けられ、上側永久磁石板５４の板面の四隅に位置決め用切欠き５４ｃが設けられている。また、下側永久磁石板５１は、実施の形態１で説明した下側永久磁石板１１と同様に帯状の着磁部位を有する。
また、支持部材６１の板の四隅にはそれぞれ位置決め用切欠き６１ｃが設けられ、支持部材６２の上面の四隅に位置決め用切欠き６２ｃが設けられている。
位置決め用切欠き５１ｃ，５２ｃ，５３ｃ，５４ｃ，６１ｃ，６２ｃは上記の各構成部品の端部に設けられ、これらの構成部品を重ね合わせたとき各切欠きの縁部分が重なって滑らかに積層方向に連なるように位置や形状や大きさが揃えられ、例えば各構成部品を上方からみたとき切欠き縁部の形状がＬ字状となるように切削されて前述の組み立て治具４４の支柱４４ａの側壁面に接触することができるように形成されている。
【００２４】
支持部材６１は、実施の形態１の支持部材３１に設けられた位置決め用穴３１ｃに替えて位置決め用切欠き６１ｃを設けたもので、当該位置決め用切欠き６１ｃの部分以外は上記の支持部材３１と同様なものである。下側永久磁石板５１は、実施の形態１の下側永久磁石板１１に設けられた位置決め用穴１１ｃに替えて位置決め用切欠き５１ｃを設けたもので、当該位置決め用切欠き５１ｃの部分以外は上記の下側永久磁石板１１と同様なものである。緩衝部材５２ａ，５２ｂは、実施の形態１の緩衝部材１２ａ，１２ｂに設けられた位置決め用穴１２ｃに替えて位置決め用切欠き５２ｃを設けたもので、当該位置決め用切欠き５２ｃの部分以外は上記の緩衝部材１２ａ，１２ｂと同様なものである。振動膜５３は、実施の形態１の振動膜１３に設けられた位置決め用穴１３ｃに替えて位置決め用切欠き５３ｃを設けたもので、当該位置決め用切欠き５３ｃの部分以外は上記の振動膜１３と同様なものである。上側永久磁石板５４は、実施の形態１の上側永久磁石板１４に設けられた位置決め用穴１４ｃに替えて位置決め用切欠き５４ｃを設けたもので、当該位置決め用切欠き５４ｃの部分以外は上記の上側永久磁石板１４と同様なものである。支持部材６２は、実施の形態１の支持部材３２に設けられた位置決め用穴３２ｃに替えて位置決め用切欠き６２ｃを設けたもので、当該位置決め用切欠き６２ｃの部分以外は上記の支持部材３２と同様なものである。
【００２５】
前述の組み立て治具４４に立設されている支柱４４ａは、例えばここまで説明したように支持部材６１、下側永久磁石板５１、緩衝部材５２ａ、振動膜５３、緩衝部材５２ｂ、上側永久磁石板５４、及び支持部材６２のように各々の四隅に位置決め用切欠きが設けられているとき、これらの位置決め用切欠きに接するように間隔をおいて四箇所に設けられ、電磁変換器４１の上記の各構成部品を水平方向に対して位置決めするように配置されている。また、支柱４４ａの形状ならびに大きさは、好ましくは隙間無く各位置決め用切欠きと接するように構成する。
なお、組み立て治具４４に設けられている支柱４４ａの数ならびに各構成部品に設けられている位置決め用切欠きの数は、ここで説明した四箇所に限定されるものではなく、また切欠き形状や支柱４４ａの横断面形状は前述の四辺形に限定されるものではない。
【００２６】
組み立て治具４４を用いた電磁変換器４１の組み立ては、実施の形態１で説明した各構成部品の位置決め用穴にピン４ａを挿入して組み立てることに替えて、上記の各位置決め用切欠きを支柱４４ａに接触させて位置合わせを行って組み立てるもので、支持部材６１、下側永久磁石板５１、緩衝部材５２ａ、振動膜５３、緩衝部材５２ｂ、上側永久磁石板５４、支持部材６２の各々の固定は実施の形態１で説明したものと同様に行われ、ここでは実施の形態１による電磁変換器１と同様に行われる組み立ての重複説明を省略する。電磁変換器４１の組み立てが完了すると、当該電磁変換器４１の下方から組み立て治具４４を取外す。このように組み立て治具４４を用いて組み立てられた電磁変換器４１は、実施の形態１で説明したものと同様に下側永久磁石板５１、振動膜５３、及び上側永久磁石板５４が配置／固定されたものとなる。
【００２７】
以上のように実施の形態２によれば、支持部材６１、下側永久磁石板５１、緩衝部材５２ａ、振動膜５３、緩衝部材５２ｂ、上側永久磁石板５４、支持部材６２にそれぞれ位置決め用切欠きを設けておき、組み立て治具４４に設けられている支柱４４ａに各位置決め用切欠きを接触させて電磁変換器４１を組み立てるようにしたので、上側永久磁石板５１及び下側永久磁石板５４と振動膜５３とを容易に精度良く位置決めして組み立てることができ、動作性能の個体差を抑えた電磁変換器４１を得ることができるという効果がある。
【００２８】
実施の形態３．
図５は、この発明の実施の形態３による電磁変換器を示す説明図である。図１〜図３に示したものと同一あるいは相当する部分に同じ符号を使用し、その説明を省略する。この図は、実施の形態３による電磁変換器を備えた音響装置の概観を示す斜視図である。図示した音響装置７０は、箱状のスピーカ筐体７１と例えば実施の形態１で説明した電磁変換器１を備え、例えばスピーカ筐体７１の表面に、実施形態１で説明したピン４ａと概ね同様なピン７１ａを四つ設けている。ピン７１ａは、図１に示された指示部材３１の位置決め用穴３１ｃ、下側永久磁石板１１の位置決め用穴１１ｃ、緩衝部材１２ａの位置決め用穴１２ｃ、振動膜１３の位置決め用穴１３ｃ、緩衝部材１２ｂの位置決め用穴１２ｃ、上側永久磁石板１４の位置決め用穴１４ｃ、及び支持部材３２の位置決め用穴３２ｃ、即ち図２の位置決め用穴ｃへ挿入したとき、適当な摩擦力等が作用して上記の各構成部品を固定するように隙間無く位置決め用穴ｃの内壁面に接触する、即ち密着する形状及び大きさに形成されている。
【００２９】
実施形態３による電磁変換器は、スピーカ筐体７１に設けられている四つのピン７１ａを、支持部材３１の位置決め用穴３１ｃ、下側永久磁石板１１の位置決め用穴１１ｃ、緩衝部材１２ａの位置決め用穴１２ｃ、振動膜１３の位置決め用穴、緩衝部材１２ｂの位置決め用穴１２ｃ、上側永久磁石板１４の位置決め用穴１４ａ、及び支持部材３２の位置決め用穴３２ａへ順に挿通させ、支持部材３１と支持部材３２とを実施の形態１で説明したように固定する。電磁変換器１の組み立ては、実施の形態１で説明したものと同様に行われるので、ここでは重複説明を省略する。上記のように組み立てた電磁変換器１は、スピーカ筐体７１の表面に固定される。
なお、スピーカ筐体７１に設けられているピン７１ａの数ならびに各構成部品に設けられている位置決め用穴の数は、図示した四箇所に限定されるものではなく、また穴形状やピン７１ａの横断面形状は円形に限定されるものではない。
【００３０】
ここでは、スピーカ７１へ固定する電磁変換器として実施の形態１による電磁変換器１を例示して説明したが、実施の形態２で説明した組み立て治具４４の支柱４４ａと同様な支柱をピン７１ａに替えてスピーカ筐体７１の表面に備え、実施の形態２で説明した電磁変換器４１の各構成部品に、上記の支柱と密着するように位置決め用切欠きを設けておき、電磁変換器４１をスピーカ７１の表面において組み立て、また固定するようにしても同様な作用効果が得られる。
【００３１】
以上のように実施の形態３によれば、スピーカ筐体７１に複数のピン７１ａを設け、支持部材３１の位置決め用穴３１ｃ、下側永久磁石板１１の位置決め用穴１１ｃ、緩衝部材１２ａの位置決め用穴１２ｃ、振動膜１３の位置決め用穴１３ｃ、緩衝部材１２ｂの位置決め用穴１２ｃ、上側永久磁石板１４の位置決め用穴１４ｃ、及び支持部材３２の位置決め用穴３２ｃにピン７１ａを挿通させて電磁変換器１を組み立てるようにしたので、電磁変換器１の各構成部品の位置決めと取り付け、また当該電磁変換器１のスピーカ筐体７１への取り付けが容易になるという効果がある。
【図面の簡単な説明】
【００３２】
【図１】この発明の実施の形態１による電磁変換器と組み立て治具とを示す説明図である。
【図２】実施の形態１による電磁変換器の断面と組み立て治具とを示す説明図である。
【図３】実施の形態１による電磁変換器の構成を示す説明図である。
【図４】この発明の実施の形態２による電磁変換器と組み立て治具とを示す説明図である。
【図５】この発明の実施の形態３による電磁変換器を示す説明図である。
【符号の説明】
【００３３】
１，４１  電磁変換器、２，４２  構造体、３，４３  フレーム、４，４４  組み立て治具、１１，５１  下側永久磁石板、１２ａ，１２ｂ，５２ａ，５２ｂ  緩衝部材、１３，５３  振動膜、１４，５４  上側永久磁石板、３１，３２，６１，６２  支持部材、７０  音響装置、７１  スピーカ筐体。
【図１】
2007288601.tif 000003
【図２】
2007288601.tif 000004
【図３】
2007288601.tif 000005
【図４】
2007288601.tif 000006
【図５】
2007288601.tif 000007